(57)【要約】      （修正有）【課題】荷重受けネットのメイン・バック・フレームへの取付け作業性を改善し、シート・バックの薄型化、小型化、軽量化を図る。【解決手段】台形メイン・バック・フレームと、左右のサイド・フレーム・メンバー１６、１７の前端面上に上方から下方に対応的に伸びて固定的に取り付けられる左右の細長いネット・ホルダー・プレート２４、２５と、左右のネット側端末３１、３２に左右の細長い樹脂フックを対応的に縫い付けるネット２８とを含み、そのネット２８が、その左右の細長いネット・ホルダー・プレート２４、２５の上端にその左右の細長い樹脂フックの下端を対応的に引っ掛け、その状態からその左右の細長いネット・ホルダー・プレート２４、２５に沿ってその左右の細長い樹脂フックを下方向に下げて行くことで張力が、その台形メイン・バック・フレームの楔効果によりそのネット２８に保有可能にされる。【選択図】図９
2010208516.tif 000002
【特許請求の範囲】
【請求項１】
トップ・フレーム・メンバー、ボトム・フレーム・メンバー、および左右のサイド・フレーム・メンバーで所定の台形状に枠組みされる台形メイン・バック・フレームと、上端をそのサイド・フレーム・メンバーのそのトップ・フレーム・メンバー寄りに、下端をそのサイド・フレーム・メンバーの下端にそれぞれ位置させてその左右のサイド・フレーム・メンバーの前端面上に上方から下方に対応的に伸びて固定的に取り付けられる左右の細長いネット・ホルダー・プレートと、左右のネット側端末に左右の細長い樹脂フックを対応的に縫い付けるネットとを含み、そして、そのネットが、その左右の細長いネット・ホルダー・プレートにその左右の細長い樹脂フックを対応的に引っ掛けてその台形メイン・バック・フレームに張られ、そして、張力が、その台形メイン・バック・フレームの楔効果によりそのネットに保有可能にされるところの自動車シートに用いるシート・バック・フレーム。
【請求項２】
そのネットが、その左右の細長いネット・ホルダー・プレートの上端にその左右の細長い樹脂フックの下端を対応的に引っ掛け、そして、その状態からその左右の細長いネット・ホルダー・プレートに沿ってその左右の細長い樹脂フックを下方向に下げて行くことで張力が、その台形メイン・バック・フレームの楔効果によりそのネットに保有可能にされるところの請求項１に記載の自動車シートに用いるシート・バック・フレーム。
【請求項３】
トップ・フレーム・メンバー、ボトム・フレーム・メンバー、および左右のサイド・フレーム・メンバーで所定の台形状に枠組みされる台形メイン・バック・フレームと、そのトップ・フレーム・メンバー寄りでその左右のサイド・フレーム・メンバー間に渡されて両端で固定的に取り付けられるアッパー・クロス・ワイヤと、上端をそのサイド・フレーム・メンバーのそのアッパー・クロス・ワイヤ寄りに、下端をそのサイド・フレーム・メンバーの下端にそれぞれ位置させてその左右のサイド・フレーム・メンバーの前端面上に上方から下方に対応的に伸びて固定的に取り付けられる左右の細長いネット・ホルダー・プレートと、ネット上端末に上の細長い樹脂フックを、ネット下端末に下の細長い樹脂フックをそれぞれ縫い付け、そして、左右のネット側端末に左右の細長い樹脂フックを対応的に縫い付けるネットとを含み、そして、そのネットが、そのアッパー・クロス・ワイヤにその上の細長い樹脂フックを、そのボトム・フレーム・メンバーにその下の細長い樹脂フックをそれぞれ引っ掛け、その左右の細長いネット・ホルダー・プレートにその左右の細長い樹脂フックを対応的に引っ掛けてその台形メイン・バック・フレームに張られ、そして、張力が、その台形メイン・バック・フレームの楔効果によりそのネットに保有可能にされるところの自動車シートに用いるシート・バック・フレーム。
【請求項４】
そのネットが、その左右の細長いネット・ホルダー・プレートの上端にその左右の細長い樹脂フックの下端を対応的に引っ掛け、そして、その状態からその左右の細長いネット・ホルダー・プレートに沿ってその左右の細長い樹脂フックを下方向に下げて行くことで張力が、その台形メイン・バック・フレームの楔効果によりそのネットに保有可能にされ、そして、そのアッパー・クロス・ワイヤにその上の細長い樹脂フックを、そのボトム・フレーム・メンバーにその下の細長い樹脂フックをそれぞれ引っ掛けてその台形メイン・バック・フレームに張られるところの請求項３に記載の自動車シートに用いるシート・バック・フレーム。
【発明の詳細な説明】
【技術分野】
【０００１】
この発明は、自動車シートに用いるシート・バック・フレームに関し、特に、小型乗用車や軽自動車などのシートに適するシート・バック・フレームに関する。
【背景技術】
【０００２】
その小型乗用車、軽自動車などでは、車室スペース上、シートは薄型化を図って小型化され、そして、軽量化されるのが一般的である。
通常、そのためにそのシートのシート・バックでは、ネットがネット・フレームに張り付けられ、そして、そのネットを引っ張りながらそのネット・フレームでメイン・バック・フレームに組み付けられるので、作業性が悪い。また、乗員の腰部分および背部分の支持に応じた張力をそのネットに保持可能にする必要からそのネットは上端幅よりも下端幅を狭くするので、製作が厄介でコストが掛かった。
【特許文献１】実開昭６３−５４３５６公報
【発明の開示】
【発明が解決しようとする課題】
【０００３】
この発明の課題は、荷重受けにネットを用い、そのネットの上下端間で幅を変えずにそのネットを製作でき、そして、ネット・フレームを省いてそのネットをメイン・バック・フレームに容易に取り付けできてその取付け作業性を改善し、乗員の腰部分および背部分の支持に応じた張力をそのネットに保有可能にし、そして、シート・バックの薄型化を図れて小型化でき、そして、軽量化を図るところの自動車シートに用いるシート・バック・フレームの提供にある。
【課題を解決するための手段】
【０００４】
この発明は、トップ・フレーム・メンバー、ボトム・フレーム・メンバー、および左右のサイド・フレーム・メンバーで所定の台形状に枠組みされる台形メイン・バック・フレームと、上端をそのサイド・フレーム・メンバーのそのトップ・フレーム・メンバー寄りに、下端をそのサイド・フレーム・メンバーの下端にそれぞれ位置させてその左右のサイド・フレーム・メンバーの前端面上に上方から下方に対応的に伸びて固定的に取り付けられる左右の細長いネット・ホルダー・プレートと、左右のネット側端末に左右の細長い樹脂フックを対応的に縫い付けるネットとを含み、そして、そのネットが、その左右の細長いネット・ホルダー・プレートにその左右の細長い樹脂フックを対応的に引っ掛けてその台形メイン・バック・フレームに張られ、そして、張力が、その台形メイン・バック・フレームの楔効果によりそのネットに保有可能にされる。
【発明の効果】
【０００５】
この発明では、左右のネット側端末に左右の細長い樹脂フックを対応的に縫い付けたネットを荷重受けに用い、メイン・バック・フレームを所定の台形状に枠組みしてその台形メイン・バック・フレームの左右のサイド・フレーム・メンバーに左右の細長いネット・ホルダー・プレートを対応的に固定的に取り付け、そして、その左右の細長い樹脂フックにその左右の細長い樹脂フックを対応的に引っ掛けてそのネットをその台形メイン・バック・フレームに張るので、そのネットが、それの上下端間で幅を変えずに製作でき、ネット・フレームを省いてその台形メイン・バック・フレームに容易に取り付け可能になり、その取付け作業性が改善され、乗員の腰部分および背部分の支持に応じた張力が、そのネットに保有可能になり、そして、シート・バックが、薄型化され、小型化されて軽量化され、そして、製作コストが、低減される。
【発明を実施するための最良の形態】
【０００６】
この発明の自動車シートに用いるシート・バック・フレームは、トップ・フレーム・メンバー、ボトム・フレーム・メンバー、および左右のサイド・フレーム・メンバーで所定の台形状に枠組みされる台形メイン・バック・フレームと、そのトップ・フレーム・メンバー寄りでその左右のサイド・フレーム・メンバー間に渡されて両端で固定的に取り付けられるアッパー・クロス・ワイヤと、上端をそのサイド・フレーム・メンバーのそのアッパー・クロス・ワイヤ寄りに、下端をそのサイド・フレーム・メンバーの下端にそれぞれ位置させてその左右のサイド・フレーム・メンバーの前端面上に上方から下方に対応的に伸びて固定的に取り付けられる左右の細長いネット・ホルダー・プレートと、ネット上端末に上の細長い樹脂フックを、ネット下端末に下の細長い樹脂フックをそれぞれ縫い付け、そして、左右のネット側端末に左右の細長い樹脂フックを対応的に縫い付けるネットとを含み、そして、そのネットが、そのアッパー・クロス・ワイヤにその上の細長い樹脂フックを、そのボトム・フレーム・メンバーにその下の細長い樹脂フックをそれぞれ引っ掛け、その左右の細長いネット・ホルダー・プレートにその左右の細長い樹脂フックを対応的に引っ掛けてその台形メイン・バック・フレームに張られ、そして、張力が、その台形メイン・バック・フレームの楔効果によりそのネットに保有可能にされる。
【０００７】
具体的には、そのネットは、その左右の細長いネット・ホルダー・プレートの上端にその左右の細長い樹脂フックの下端を対応的に引っ掛け、そして、その状態からその左右の細長いネット・ホルダー・プレートに沿ってその左右の細長い樹脂フックを下方向に下げて行くことで張力が、その台形メイン・バック・フレームの楔効果によりそのネットに保有可能にされ、そして、そのアッパー・クロス・ワイヤにその上の細長い樹脂フックを、そのボトム・フレーム・メンバーにその下の細長い樹脂フックをそれぞれ引っ掛けてその台形メイン・バック・フレームに張られる。
【実施例１】
【０００８】
以下、特定されて図示された具体例に基づいて、この発明の自動車シートに用いるシート・バック・フレームを説明するに、図１ないし図９は、小型乗用車のドライバー・シート（図示せず）のシート・バック（図示せず）に活用されるところのこの発明の自動車シートに用いるシート・バック・フレームの具体例１０を示し、そして、そのシート・バックは、そのシート・バック・フレーム１０にシート・バック・パッド（図示せず）を組み付け、それにシート・バック・トリム・カバー・アッセンブリ（図示せず）を被せて固定し、そして、製品に仕上げられる。そして、このシート・バックは、左右のリクライニング・デバイス４０、４１でそのドライバー・シートのシート・クッション（図示せず）に前倒および角度調整可能に組み付けられて支持される。具体的には、そのシート・バックでは、そのシート・バック・フレーム１０が、台形メイン・バック・フレーム１１、アッパー・クロス・ワイヤ２３、左右の細長いネット・ホルダー・プレート２４、２５、およびネット２８で組み立てられ、また、その台形メイン・バック・フレーム１１が、トップ・フレーム・メンバー１２、ボトム・フレーム・メンバー１５、および左右のサイド・フレーム・メンバー１６、１７で一体的に枠組みされるので、その左右のリクライニング・デバイス４０、４１は、シート・バック・ブラケット（図示せず）でその左右のサイド・フレーム・メンバー１６、１７の下端に、シート・クッション・ブラケット４２、４３でそのシート・クッションのシート・クッション・フレーム（図示せず）の後端の両側にそれぞれ連結され、そして、そのシート・クッションにそのシート・バックを前倒および角度調整可能に支持される。
【０００９】
このシート・バック・フレーム１０では、その台形メイン・バック・フレーム１１が、そのトップ・フレーム・メンバー１２、そのボトム・フレーム・メンバー１５、およびその左右のサイド・フレーム・メンバー１６、１７で所定の台形状に枠組みされ、また、そのアッパー・クロス・ワイヤ２３が、そのトップ・フレーム・メンバー１２寄りでその左
右のサイド・フレーム・メンバー１６、１７間に渡されて両端でその左右のサイド・フレーム・メンバー１６、１７に溶接され、さらに、その左右の細長いネット・ホルダー・プレート２４、２５が、それの上端をそのサイド・フレーム・メンバー１６、１７のそのアッパー・クロス・ワイヤ２３寄りに、それの下端をそのサイド・フレーム・メンバー１６、１７の下端にそれぞれ位置させてその左右のサイド・フレーム・メンバー１６、１７の前端面２０、２０上に上方から下方に対応的に伸びて複数のボルト３７およびナット３８でその左右のサイド・フレーム・メンバー１６、１７に対応的に締め付けられて固定的に取り付けられ、またさらに、そのネット２８が、それのネット上端末２９に上の細長い樹脂フック３３を、それのネット下端末３０に下の細長い樹脂フック３４をそれぞれ縫い付け、そして、左右のネット側端末３１、３２に左右の細長い樹脂フック３５、３６を対応的に縫い付け、それら樹脂フック３３、３４、３５、３６でそのボトム・フレーム・メンバー１５、そのアッパー・クロス・ワイヤ２３、その左右の細長いネット・ホルダー・プレート２４、２５に引っ掛け止めされてその台形メイン・バック・フレーム１１に張られる。
【００１０】
実際、そのネット２８は、その左右の細長いネット・ホルダー・プレート２４、２５の上端にその左右の細長い樹脂フック３５、３６の下端を対応的に引っ掛けてはめ合わせ、そして、その状態からその左右の細長いネット・ホルダー・プレート２４、２５に沿ってその左右の細長い樹脂フック３５、３６を下方向に下げて行くことでそのネット２８は張られて行き、張力が、その台形メイン・バック・フレーム１１の楔効果によりそのネット２８に保有され、そして、そのネット２８は、そのアッパー・クロス・ワイヤ２３にその上の細長い樹脂フック３３を、そのボトム・フレーム・メンバー１５にその下の細長い樹脂フック３４をそれぞれ引っ掛けてその台形メイン・バック・フレーム１１に張られる。
【００１１】
その台形メイン・バック・フレーム１１では、予め、そのトップ・フレーム・メンバー１２が、所定の外径、肉厚の細長い鋼管から所定の長さのブランクに切断され、そして、そのブランクを折り曲げて両端に左右の溶接アーム１３、１４を有する逆Ｕ字形状に成形され、また、そのボトム・フレーム・メンバー１５が、所定の厚さの鋼板から所定の形状のブランクに打ち抜かれ、そして、そのブランクから所定の形状にプレス成形され、その際に適宜に多数の肉取り穴を打ち抜き、さらに、その左右のサイド・フレーム・メンバー１６、１７が、所定の厚さの鋼板から所定の形状のブランクに打ち抜かれ、そして、そのブランクを上端すぼまりにプレス形成しながらウェブ１８の外周部分を所定のフランジ長さのフロント・フランジ１９およびリア・フランジ２１に折り曲げ、そして、そのフロント・フランジ１９に前端面２０を、そのリア・フランジ２１に後端面２２をそれぞれ形成し、そして、それら、すなわち、そのトップ・フレーム・メンバー１２が、その左右の溶接アーム１３、１４でその左右のサイド・フレーム・メンバー１６、１７の上端に対応的に溶接され、そのボトム・フレーム・メンバー１５がそれの両端でその左右のサイド・フレーム・メンバー１６、１７の下端間に溶接されてその台形メイン・バック・フレーム１１に一体的に枠組みされ、その後に、ヘッドレスト・フレーム５０がそのトップ・フレーム・メンバー１２に溶接されてその台形メイン・バック・フレーム１１に一体的に取り付けられる。
【００１２】
その台形メイン・バック・フレーム１１は、図９に示されたように自身の台形状による楔効果でそのネット２８に張力を保有させるために、その左右のサイド・フレーム・メンバー１６、１７の上端間の幅ＦＲＭ−ａも下端間の幅ＦＲＭ−ｂもそのネット２８の幅ＢＡＮＥＸ−ａよりも適宜に広く設定され、そして、その左右のサイド・フレーム・メンバー１６、１７のその下端間のその幅ＦＲＭ−ｂはその上端間のその幅ＦＲＭ−ａよりも適宜に広く設定される。勿論、その台形メイン・バック・フレーム１１の台形状を決定するその左右のサイド・フレーム・メンバー１６、１７のその上端間のその幅ＦＲＭ−ａおよびその下端間の幅ＦＲＭ−ｂは、そのネットに保有させる張力とそのネット幅ＢＡＮＥＸ
−ａとによって設定される。
【００１３】
そのアッパー・クロス・ワイヤ２３は、所定の外径の細長いワイヤから所定の長さに切断され、そして、その台形メイン・バック・フレーム１１では、そのトップ・フレーム・メンバー１２がそれの両端にその左右の溶接アーム１３、１４を連続的に折り曲げて逆Ｕ字形状に成形され、そして、その左右の溶接アーム１３、１４がその左右のサイド・フレーム・メンバー１６、１７の上端に対応して溶接されるので、そのアッパー・クロス・ワイヤ２３はそのトップ・フレーム・メンバー１２寄りでその左右の溶接アーム１３、１４間に渡され、両端でその左右の溶接アーム１３、１４に溶接されてそのネット２８の上端を止め可能にする。
【００１４】
そのアッパー・クロス・ワイヤ２３は、そのようにその左右の溶接アーム１３、１４間に溶接されたが、そのトップ・フレーム・メンバーがその左右の溶接アーム１３、１４を省いて成形される場合、そのアッパー・クロス・ワイヤ２３は、そのトップ・フレーム・メンバー１２寄りでその左右のサイド・フレーム・メンバー１６、１７間に渡されてそれの両端でその左右のサイド・フレーム・メンバー１６、１７に溶接される。
【００１５】
その左右の細長いネット・ホルダー・プレート２４、２５は、図２ないし図５に示したようにその台形メイン・バック・フレーム１１のその左右のサイド・フレーム・メンバー１６、１７のそのフロント・フランジ１９の長さ、すなわち、フランジ幅よりも広い幅で樹脂から所定の長さおよび厚さに成形され、そして、両端側にボルト穴２６、２７を明ける細長い樹脂プレートである。
そして、その左右の細長いネット・ホルダー・プレート２４、２５は、それの上端をその台形メイン・バック・フレーム１１のその左右のサイド・フレーム・メンバー１６、１７のそのアッパー・クロス・ワイヤ２３寄りに、それの下端をその左右のサイド・フレーム・メンバー１６、１７の下端にそれぞれ位置させてその左右のサイド・フレーム・メンバー１６、１７のその前端面２０、２０上に上方から下方に対応的に伸びてその複数のボルト３７およびナット３８でその左右のサイド・フレーム・メンバー１６、１７に対応的に締め付けられて固定的に取り付けられると、その左右の細長いネット・ホルダー・プレート２４、２５は、図４および図５に示されたようにそれの外側の側端面をその左右のサイド・フレーム・メンバー１６、１７の外側面よりも外側に対応的に突き出してそのネット２８のその左右の細長い樹脂フック３５、３６を対応的に引っ掛け可能にしている。
【００１６】
そのネット２８は、ネット織物や繊維から織られた弾性的に伸縮可能な布などを用い、そして、ネット上端末２９に上の細長い樹脂フック３３を、ネット下端末３０に下の細長い樹脂フック３４をそれぞれ縫い付け、そして、左右のネット側端末３１、３２に左右の細長い樹脂フック３５、３６を対応的に縫い付けてそれら樹脂フック３３、３４、３５、３６による引っ掛け止めによってその台形メイン・バック・フレーム１１に張られる。
【００１７】
したがって、このシート・バック・フレーム１０では、ネット張り作業を次のように行う。そのネット２８は、先ず、その左右の細長いネット・ホルダー・プレート２４、２５の上端にその左右の細長い樹脂フック３５、３６の下端を対応的に引っ掛け、次に、その状態からその左右の細長いネット・ホルダー・プレート２４、２５に沿ってその左右の細長い樹脂フック３５、３６を下方向に下げて行き、そうすると張力がその台形メイン・バック・フレーム１１の楔効果によりそのネット２８に保有可能にされ、その左右の細長いネット・ホルダー・プレート２４、２５の下端までのその左右の細長い樹脂フック３５、３６の下端を下げてそのアッパー・クロス・ワイヤ２３にその上の細長い樹脂フック３３をそのボトム・フレーム・メンバー１５にその下の細長い樹脂フック３４をそれぞれ引っ掛けてその台形メイン・バック・フレーム１１に張られる。
そのようにそのネット２８は荷重受けとして張力を保有した状態にその台形メイン・バ
ック・フレーム１１に簡単に、そして、容易に張られて取り付けられ、ネット張り作業が非常に簡単で容易になる。
また、このシート・バック・フレーム１０では、そのネット２８が上下端間で幅を変えずに製作でき、そして、ネット・フレームを省いてそのメイン・バック・フレーム１１に簡単で容易に取り付けでき、そのネット張りの作業性、すなわち、取付け作業性が改善され、乗員の腰部分および背部分の支持に適合した張力がそのネット２８に保有可能になり、そして、シート・バックが薄型化され、小型化できて軽量化される。
【００１８】
そのネット２８は、また、その左右の細長いネット・ホルダー・プレート２４，２５にその左右の細長い樹脂フック３５、３６を対応的に引っ掛けてその台形メイン・バック・フレーム１１に張られ、そうすると張力がその台形メイン・バック・フレーム１１の楔効果によりそのネット２８に保有可能にされ、次に、そのアッパー・クロス・ワイヤ２３にその上の細長い樹脂フック３３を、そのボトム・フレーム・メンバー１５にその下の細長い樹脂フック３４をそれぞれ引っ掛けてその台形メイン・バック・フレームに張られても構わない。
【００１９】
先に図面を参照して説明されたところのこの発明の特定された具体例から明らかであるように、この発明の属する技術の分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【産業上の利用可能性】
【００２０】
上述から理解されるように、この発明の自動車シートに用いるシート・バック・フレームは、トップ・フレーム・メンバー、ボトム・フレーム・メンバー、および左右のサイド・フレーム・メンバーで所定の台形状に枠組みされる台形メイン・バック・フレームと、上端をそのサイド・フレーム・メンバーのそのトップ・フレーム・メンバー寄りに、下端をそのサイド・フレーム・メンバーの下端にそれぞれ位置させてその左右のサイド・フレーム・メンバーの前端面上に上方から下方に対応的に伸びて固定的に取り付けられる左右の細長いネット・ホルダー・プレートと、左右のネット側端末に左右の細長い樹脂フックを対応的に縫い付けるネットとを含み、そして、そのネットが、その左右の細長いネット・ホルダー・プレートにその左右の細長い樹脂フックを対応的に引っ掛けてその台形メイン・バック・フレームに張られ、そして、張力が、その台形メイン・バック・フレームの楔効果によりそのネットに保有可能にされるので、この発明の自動車シートに用いるシート・バック・フレームでは、そのネットが上下端間で幅を変えずに製作でき、ネット・フレームを省いて荷重受けとして張力を保有した状態にその台形メイン・バック・フレームに簡単に、そして、容易に張られて取り付けられ、ネット張り作業が非常に簡単で容易になり、ネット張りの作業性、すなわち、取付け作業性が改善され、乗員の腰部分および背部分の支持に適合した張力がそのネットに保有可能になり、そして、シート・バックの薄型化が図られて小型化が図られ、そして軽量化が図られ、その結果、自動車シートにとって非常に有用で実用的である。
【図面の簡単な説明】
【００２１】
【図１】小型乗用車のドライバー・シートのシート・バックに活用されるところのこの発明の自動車シートに用いるシート・バック・フレームの具体例を示した斜視図である。
【図２】そのシート・バック・フレームを分解して示した分解斜視図である。
【図３】ネットを省いたそのシート・バック・フレームを示した正面図である。
【図４】図３の４−４線に沿って示した断面図である。
【図５】図４を部分的に拡大して示した断面図である。
【図６】ネットを示した正面図である。
【図７】図６の７−７線に沿って示した断面図である。
【図８】図７を部分的に拡大して示した断面図である。
【図９】そのシート・バック・フレームのネット張り作業を示した正面図である。
【符号の説明】
【００２２】
１０  シート・バック・フレーム
１１  台形メイン・バック・フレーム
１２  トップ・フレーム・メンバー
１３  左の溶接アーム
１４  右の溶接アーム
１５  ボトム・フレーム・メンバー
１６  左のサイド・フレーム・メンバー
１７  右のサイド・フレーム・メンバー
１８  ウェブ
１９  フロント・フランジ
２０  前端面
２１  リア・フランジ
２２  後端面
２３  アッパー・クロス・ワイヤ
２４  左の細長いネット・ホルダー・プレート
２５  右の細長いネット・ホルダー・プレート
２６  ボルト穴
２７  ボルト穴
２８  ネット
２９  ネット上端末
３０  ネット上端末
３１  左のネット側端末
３２  右のネット側端末
３３  上の細長い樹脂フック
３４  下の細長い樹脂フック
３５  左の細長い樹脂フック
３６  右の細長い樹脂フック
３７  ボルト
３８  ナット
ＦＲＭ−ａ  幅
ＦＲＭ−ｂ  幅
ＢＡＮＥＸ−ａ  幅
４０  左のリクライニング・デバイス
４１  右のリクライニング・デバイス
４２  シート・クッション・ブラケット
４３  シート・クッション・ブラケット
４４  インターロック・シャフト
５０  ヘッドレスト・フレーム
【図１】
2010208516.tif 000003
【図２】
2010208516.tif 000004
【図３】
2010208516.tif 000005
【図４】
2010208516.tif 000006
【図５】
2010208516.tif 000007
【図６】
2010208516.tif 000008
【図７】
2010208516.tif 000009
【図８】
2010208516.tif 000010
【図９】
2010208516.tif 000011
【手続補正書】
【提出日】平成21年3月28日(2009.3.28)
【手続補正１】
【補正対象書類名】明細書
【補正対象項目名】００１２
【補正方法】変更
【補正の内容】
【００１２】
その台形メイン・バック・フレーム１１は、図９に示されたように自身の台形状による楔効果でそのネット２８に張力を保有させるために、その左右のサイド・フレーム・メンバー１６、１７の上端間の幅ＦＲＭ−ａも下端間の幅ＦＲＭ−ｂもそのネット２８の幅ＮＥＴ−ａよりも適宜に広く設定され、そして、その左右のサイド・フレーム・メンバー１６、１７のその下端間のその幅ＦＲＭ−ｂはその上端間のその幅ＦＲＭ−ａよりも適宜に広く設定される。勿論、その台形メイン・バック・フレーム１１の台形状を決定するその左右のサイド・フレーム・メンバー１６、１７のその上端間のその幅ＦＲＭ−ａおよびその下端間の幅ＦＲＭ−ｂは、そのネットに保有させる張力とそのネット幅ＮＥＴ−ａとによって設定される。
【手続補正２】
【補正対象書類名】明細書
【補正対象項目名】００２２
【補正方法】変更
【補正の内容】
【００２２】
１０  シート・バック・フレーム
１１  台形メイン・バック・フレーム
１２  トップ・フレーム・メンバー
１３  左の溶接アーム
１４  右の溶接アーム
１５  ボトム・フレーム・メンバー
１６  左のサイド・フレーム・メンバー
１７  右のサイド・フレーム・メンバー
１８  ウェブ
１９  フロント・フランジ
２０  前端面
２１  リア・フランジ
２２  後端面
２３  アッパー・クロス・ワイヤ
２４  左の細長いネット・ホルダー・プレート
２５  右の細長いネット・ホルダー・プレート
２６  ボルト穴
２７  ボルト穴
２８  ネット
２９  ネット上端末
３０  ネット上端末
３１  左のネット側端末
３２  右のネット側端末
３３  上の細長い樹脂フック
３４  下の細長い樹脂フック
３５  左の細長い樹脂フック
３６  右の細長い樹脂フック
３７  ボルト
３８  ナット
ＦＲＭ−ａ  幅
ＦＲＭ−ｂ  幅
ＮＥＴ−ａ  幅
４０  左のリクライニング・デバイス
４１  右のリクライニング・デバイス
４２  シート・クッション・ブラケット
４３  シート・クッション・ブラケット
４４  インターロック・シャフト
５０  ヘッドレスト・フレーム
【手続補正３】
【補正対象書類名】図面
【補正対象項目名】図９
【補正方法】変更
【補正の内容】
【図９】
2010208516.tif 000012